(57)【要約】【課題】多くの部分が外部に露出しないように取り付ける場合であっても、取り付けが容易な雪止金具を提供する。また、このような雪止金具を一体に取り付けた太陽電池モジュール、並びに、当該太陽電池モジュールを含む複数の太陽電池モジュールを屋根上に列にして設置するための太陽電池モジュールの敷設方法を提供する。【解決手段】雪止金具２０に、他部材１ｂの一部４３と係合するための係合突起部６１と、移動方向を制限するガイド部６４とを設ける。そして、雪止金具２０を屋根上に設置する際、雪止金具２０の係合突起部６１を他部材１ｂの一部４３と係合させた状態で他部材１ｂを棟側に移動させ、雪止金具２０を他部材１ｂと共に棟方向へ移動させる。このことにより、雪止金具２０を所定の位置へと至らせる。【選択図】図１４
2014003074.tif 000002
【特許請求の範囲】
【請求項１】
太陽電池モジュールを屋根に設置する際に、太陽電池モジュールと共に屋根上に設置される雪止金具であって、
他部材の一部と係合する係合突起部と、移動方向を制限するガイド部とを備えており、
設置の際に、前記係合突起部を前記他部材の一部と係合させて前記他部材を棟側に移動させることにより、前記他部材と共に棟方向へ移動させて所定の位置へ至らせることが可能であることを特徴とする雪止金具。
【請求項２】
軒方向への移動を阻止するための移動阻止手段を備えていることを特徴とする請求項１に記載の雪止金具。
【請求項３】
前記他部材は、棟側に隣接して配される太陽電池モジュールであることを特徴とする請求項１又は２に記載の雪止金具。
【請求項４】
太陽電池モジュールの基台に一体に取り付けられる支持板部と、当該支持板部から上方へ突出する雪止板部から形成されるものであり、
前記支持板部に前記係合突起部と前記ガイド部とが一体に設けられていることを特徴とする請求項１乃至３のいずれかに記載の雪止金具。
【請求項５】
請求項１乃至４のいずれかに記載の雪止金具を一体に取り付けたことを特徴とする太陽電池モジュール。
【請求項６】
請求項５に記載の太陽電池モジュールを少なくとも１つ含んだ複数の太陽電池モジュールを屋根上に列にして敷設するための太陽電池モジュールの敷設方法であって、
前記雪止金具を取り付けた太陽電池モジュールを屋根上に配する工程と、
前記雪止金具の前記係合突起部と、前記雪止金具を取り付けた太陽電池モジュールの棟側に隣接する他の太陽電池モジュールの一部とを係合させて、当該他の太陽電池モジュールを棟側に移動させる工程とを含むことを特徴とする太陽電池モジュールの敷設方法。
【発明の詳細な説明】
【技術分野】
【０００１】
本発明は、太陽電池モジュールに一体に取り付けられた状態で屋根上に設置し、屋根上に積もった雪の滑落を防止するための雪止金具に関するものであり、そのような雪止金具を取り付けた太陽電池モジュールに関するものである。また、雪止金具を取り付けた太陽電池モジュールを屋根上に敷設するための敷設方法に関するものである。
【背景技術】
【０００２】
近年、一般住宅の屋根上やビルの屋上といった建屋上に太陽電池モジュールを設置し、太陽光発電によりその建屋で使用する電力を賄うと共に、余剰電力を電力会社に売却するといった太陽光発電システムが普及してきている。
【０００３】
ところで、積雪地帯に太陽光発電システムを設置する場合、発電効率を高めるという観点に立つと、屋根上に降り積もる雪は滑落させることが望ましい。つまり、太陽電池モジュール上に積雪し、積雪した部分に太陽光が当たらなくなってしまうと、積雪した部分で発電できなくなってしまうので太陽電池モジュールの発電効率が低下してしまう。
【０００４】
しかしながら、一般住宅等では、屋根上から雪を滑落させることが好ましくない場合がある。例えば、狭小敷地内に建てられた住宅で雪を滑落させてしまうと、滑落させた雪が隣家の敷地内へと落下して問題となってしまうことがある。また、屋根上から雪を落下させると、住宅に近接して駐車した自家用車やテラス等に落雪してしまい、これらを破損させてしまうこともある。
【０００５】
そこで、屋根上に太陽電池モジュールを敷設する際、太陽電池モジュールと共に雪止金具を配する構造が広く知られている。
例えば、特許文献１には、太陽電池モジュールのフレーム上に取り付ける雪止金具として、回転防止部を取付けた雪止金具が開示されている。このような構成によると、雪止金具が積雪した雪から大きな荷重を受けてしまったとき、雪止金具がフレームから外れる方向へ意に反する回動をしてしまうことがない。すなわち、特許文献１の雪止金具によると雪から受ける荷重に強い取付けが可能となる。
【０００６】
また、特許文献２には、軒先から棟側へ向かって延びる１対のフレーム部材の間に太陽電池モジュールを嵌め込んで取り付ける太陽電池モジュールの設置構造において、フレーム部材の間に雪止金具を架け渡す雪止構造が開示されている。
【先行技術文献】
【特許文献】
【０００７】
【特許文献１】特開２００６−２７８６７１号公報
【特許文献２】特開平１１−１３１７２９号公報
【発明の概要】
【発明が解決しようとする課題】
【０００８】
ところで、屋根上に太陽電池モジュールを設置する際、より多くの発電を可能とするため、多数の太陽電池モジュールを設置したいという要求がある。すなわち、屋根上の限られたスペースにより多くの太陽電池モジュールを設置したいという要求がある。
【０００９】
そこで、太陽電池モジュールの発電を実施する部分（太陽電池パネル部分）が重ならないように、太陽電池モジュールの一部を重ね合わせて屋根に敷き詰めていくという敷設構造を構築することがある。すなわち、軒側に位置する太陽電池モジュールの棟側端部に、棟側で隣接する他の太陽電池モジュールの軒側端部を載置した状態で屋根上に太陽電池モジュールを敷き詰めていく場合がある。この場合、太陽電池モジュールは隙間なく敷き詰められていくので、太陽電池モジュールの周辺部分に余剰空間がない状態となる。
【００１０】
また、太陽電池モジュールの設置した際の屋根上の景観を美しくするため、太陽電池モジュールの取付用金具（以下、単に取付用金具とも称す）は外部に露出しないことが好ましい。
【００１１】
そこで、取付用金具を太陽電池モジュールの下方へ位置させたり、軒側に位置する太陽電池モジュールと棟側に位置する他の太陽電池モジュールとが重なる部分に取付用金具を配する構造がある。この構造では、取付用金具が外部に露出しない、又は僅かしか露出しない状態となる。
【００１２】
このような太陽電池モジュールの周縁部分に余剰空間がない状態や、取付用金具が外部に露出しない状態は、所謂瓦一体型と称される構造でより顕著となる。なお、瓦一体型とは、太陽電池モジュール自体に瓦（屋根部材）の機能を持たせ、屋根下地に瓦に代わって太陽電池モジュールを敷設する構造である。
【００１３】
このような構造では、太陽電池モジュールと共に配される雪止金具もまた、なるべく外部に露出しない構成であることが好ましい。太陽電池モジュールが隙間なく敷き詰められた状態で雪止金具が必要以上に外部に露出してしまうと、雪止金具によって太陽電池モジュールの表面（受光面）に影が形成されてしまうおそれがある。つまり、太陽電池モジュールの周辺部分に余剰空間がなく、太陽電池モジュールと雪止金具とが極めて近接した位置に配されると、雪止金具の露出した部分によって太陽電池モジュールの表面（受光面）に影が形成されてしまうことがある。このように、太陽電池モジュールの表面（受光面）に影が形成されてしまうと、影が形成された部分で発電できなくなる（又は発電量が減少してしまう）ので好ましくない。
また、上記した取付用金具と同様に、雪止金具が必要以上に外部に露出してしまうと屋根の外観が損なわれてしまうおそれがあるので、この観点からも雪止金具は外部に露出しない構成であることが好ましい。
【００１４】
ところが、雪止金具の大部分が外部に露出しない構成では、雪止金具の取付作業が困難となってしまうという問題がある。すなわち、特許文献１や特許文献２に開示された雪止金具のように、設置位置に配したときに雪止金具の全体とその近傍が目視できる場合、位置合わせ作業やネジ止め作業等の取付作業を比較的容易に実施することができる。しかしながら、多くの部分が外部に露出しない雪止金具によると、このような取付作業が困難になってしまうという問題である。
【００１５】
そこで本発明は、多くの部分が外部に露出しないように取り付ける場合であっても、取り付けが容易な雪止金具を提供することを課題とする。また、このような雪止金具を取り付けた太陽電池モジュール、さらには、当該太陽電池モジュールを含む複数の太陽電池モジュールを屋根上に敷設するための太陽電池モジュールの敷設方法を提供することを課題とする。
【課題を解決するための手段】
【００１６】
上記課題を解決するための請求項１に記載の発明は、太陽電池モジュールを屋根に設置する際に、太陽電池モジュールと共に屋根上に設置される雪止金具であって、他部材の一部と係合する係合突起部と、移動方向を制限するガイド部とを備えており、設置の際に、前記係合突起部を前記他部材の一部と係合させて前記他部材を棟側に移動させることにより、前記他部材と共に棟方向へ移動させて所定の位置へ至らせることが可能であることを特徴とする雪止金具である。
【００１７】
本発明の雪止金具は、他部材の一部と係合する係合突起部と、移動方向を制限するガイド部とを備えている。そして、設置の際に、係合突起部を他部材の一部と係合させて他部材を棟側に移動させることにより、他部材と共に棟方向へ移動させて所定の位置へ至らせることが可能となっている。
このことから、屋根上に太陽電池モジュールを敷設していく際、雪止金具の棟側に隣接して配される他部材の設置に伴って雪止金具の位置合わせが可能となっている。より具体的には、雪止金具を仮置きした状態で雪止金具の係合突起部と他部材の一部とを係合させ、そのまま他部材を棟側に移動させることで、他部材と共に雪止金具を移動させることができる。そして、この移動により、雪止金具を所定位置に配することができる。このように、他部材の位置合わせ作業に伴って雪止金具の位置合わせが実施される構成によると、雪止金具の全体を目視しつつ細かく位置合わせしなくてもよいので、雪止金具の多くの部分が外部に露出しない状態であっても位置合わせを簡単に実施可能となる。このことにより、雪止金具の取付作業を容易にできる。
【００１８】
請求項２に記載の発明は、軒方向への移動を阻止するための移動阻止手段を備えていることを特徴とする請求項１に記載の雪止金具である。
【００１９】
かかる構成によると、雪止金具を棟方向に移動させた後に雪止金具の軒方向への移動を阻止することができる。したがって、屋根上に積もった雪等から雪止金具に対して荷重が加わっても、雪止金具が設置位置から軒方向へ位置ずれしてしまうことがない。つまり、かかる構成によると、雪止金具をより強固に取り付けることができる。
【００２０】
請求項３に記載の発明は、前記他部材は、棟側に隣接して配される太陽電池モジュールであることを特徴とする請求項１又は２に記載の雪止金具である。
【００２１】
本発明の雪止金具は、雪止金具を棟側に隣接して配される太陽電池モジュールの下方側に配し、この太陽電池モジュールで覆った状態とする場合において、特に好適に採用することができる。
【００２２】
本発明の雪止金具は、太陽電池モジュールの基台に一体に取り付けられる支持板部と、当該支持板部から上方へ突出する雪止板部から形成されるものであり、前記支持板部に前記係合突起部と前記ガイド部とが一体に設けられていることが好ましい（請求項４）。
【００２３】
請求項５に記載の発明は、請求項１乃至４のいずれかに記載の雪止金具を一体に取り付けたことを特徴とする太陽電池モジュールである。
【００２４】
本発明の太陽電池モジュールは、請求項１乃至４のいずれかに記載の雪止金具を一体に取り付けた太陽電池モジュールであり、取り付けた雪止金具を多くの部分が外部に露出しない状態としても、雪止金具の位置合わせ作業を容易に実施可能となっている。
【００２５】
請求項６に記載の発明は、請求項５に記載の太陽電池モジュールを少なくとも１つ含んだ複数の太陽電池モジュールを屋根上に列にして敷設するための太陽電池モジュールの敷設方法であって、前記雪止金具を取り付けた太陽電池モジュールを屋根上に配する工程と、前記雪止金具の前記係合突起部と、前記雪止金具を取り付けた太陽電池モジュールの棟側に隣接する他の太陽電池モジュールの一部とを係合させて、当該他の太陽電池モジュールを棟側に移動させる工程とを含むことを特徴とする太陽電池モジュールの敷設方法である。
【００２６】
本発明の太陽電池モジュールの敷設方法は、雪止金具を取り付けた太陽電池モジュールを屋根上に配する工程と、雪止金具の係合突起部と、雪止金具を取り付けた太陽電池モジュールの棟側に隣接する他の太陽電池モジュールの一部とを係合させて、他の太陽電池モジュールを棟側に移動させる工程とを含んでいる。
そのため、軒側に雪止金具を取り付けた太陽電池モジュールを敷設し、この太陽電池モジュールの棟側に他の太陽電池モジュールを敷設するといった具合に太陽電池モジュールを敷設していくとき、棟側の太陽電池モジュールの敷設作業に伴って雪止金具の位置合わせが可能となっている。このような構成によると、雪止金具の全体を目視することなく正確な位置合わせが可能となるので、雪止金具の大部分が外部に露出しない場合であっても、雪止金具の位置合わせを容易に実施可能となる。つまり、軒側の太陽電池モジュールと棟側の太陽電池モジュールとの間に雪止金具を配することで雪止金具の大部分を外部に露出させない構造としても、雪止金具の屋根上へ取付けが困難となることがない。
【発明の効果】
【００２７】
本発明の雪止金具は、他部材の一部と係合させ、そのまま他部材を棟側に移動させることで、他部材と共に移動可能となっている。このため、雪止金具の全体を目視しなくても雪止金具の正確な位置合わせが可能となり、雪止金具の多くの部分が外部に露出しない状態であっても雪止金具の位置合わせを簡単に実施できるので、雪止金具の取付作業を容易に実施可能であるという効果がある。
また、本発明の太陽電池モジュール、並びに、太陽電池モジュールの敷設方法においても同様に、雪止金具の取付作業を容易に実施できるという効果がある。
【図面の簡単な説明】
【００２８】
【図１】本発明の実施形態に係る太陽電池モジュールを示す斜視図である。
【図２】図１の太陽電池モジュールを示す分解斜視図である。
【図３】図２の土台板部を示す斜視図である。
【図４】図２の押え板部を示す斜視図である。
【図５】図２のフロントカバーを示す斜視図である。
【図６】図２の本発明の実施形態に係る雪止金具を示す斜視図であり、背面側からみた状態を示す。
【図７】図６の雪止金具を示す平面図である。
【図８】図１の太陽電池モジュールの組み立て手順を示す説明図であり、太陽電池パネルを土台板部に載置する様子を示す。
【図９】図８に引き続いて太陽電池モジュールの組み立て手順を示す説明図である。
【図１０】本実施形態の太陽電池モジュールを建屋上に取り付けていく様子を示す説明図であり、軒側第一段目の太陽電池モジュールを取り付ける様子を示す。
【図１１】図１０に引き続いて太陽電池モジュールを建屋上に取り付けていく様子を示す説明図であり、軒側第一段目の太陽電池モジュールの棟側端部を固定する様子を示す。
【図１２】図１１のＡ−Ａ断面図である。
【図１３】図１１に引き続いて太陽電池モジュールを建屋上に取り付けていく様子を示す説明図であり、軒側第二段目の太陽電池モジュールを取り付ける様子を示す。
【図１４】軒側第二段目の太陽電池モジュールの軒側端部側の部分、並びに、軒側第一段目の太陽電池モジュールに取り付けた雪止金具の位置合わせ動作を模式的に示す説明図であって、（ａ）、（ｂ）の順で軒側第二段目の太陽電池モジュールと雪止金具が移動する。
【図１５】図１４に引き続いて太陽電池モジュールを建屋上に取り付けていく様子を示す説明図であり、軒側第二段目の太陽電池モジュールの棟側端部を固定する様子を示す。
【図１６】図１５のＢ−Ｂ断面図である。
【図１７】軒側第一段目の太陽電池モジュールに取り付けた雪止金具の桁行方向における位置合わせ動作を模式的に示す説明図であって、（ａ）、（ｂ）の順で雪止金具が移動する。
【発明を実施するための形態】
【００２９】
以下、本発明の実施形態に係る雪止金具２０、この雪止金具２０を一体に取り付けた太陽電池モジュール１、並びに、この太陽電池モジュール１を建屋の上面に敷設するための敷設方法（太陽電池モジュールの敷設方法）について図面を参照しつつ詳細に説明する。なお、以下の説明において、桁行方向（幅方向）、梁間方向（傾斜方向であって上下方向）については、通常の設置状態を基準として説明する。
【００３０】
太陽電池モジュール１は、図１で示されるように、基台２に対し、太陽電池パネル１５及び雪止金具２０を一体に取り付けて構成される。
【００３１】
基台２は、図２で示されるように、土台板部１０に、押さえ板１１、フロントカバー１２、発泡断熱材１３を取り付けて形成されている。
【００３２】
土台板部１０は、正面視が略長方形状となる板材であって、１枚あるいは複数枚の金属板を屈曲加工して所定の形状に形成したものである。加工する金属板は特に限定されるものではないが、鋼板、アルミニウム、ステンレス等の金属板を用いることが望ましく、本実施形態ではガルバリウム鋼板が採用されている。
そして、土台板部１０には、図３で示されるように、軒側（下方側）から順にカバー取付部３０、太陽電池配置部３１、押さえ板１１を取り付けるための板体取付部３２が形成されている。加えて、太陽電池配置部３１の一方の側方部分には溝状の樋部３３が形成されている。
【００３３】
カバー取付部３０は、フロントカバー１２を取り付けるための部分であり、土台板部１０の軒側端部を裏面側へ略垂直に折り曲げられて形成されている。
【００３４】
太陽電池配置部３１は、太陽電池パネル１５が載置される長方形平板状の部分であり、太陽電池パネル１５よりも梁間方向ｌの長さが長くなっている。また、太陽電池配置部３１の略中央部分には、太陽電池パネル１５の端子ボックス４９（図２参照）を挿入するための開口３１ａが設けられている。
【００３５】
板体取付部３２は、土台板部１０の棟側端部を階段状に折り曲げて形成される部分であり、軒側に位置する板体載置部３５と、棟側に位置する上面形成部３６とが棟側に向かうにつれて高くなるように段状に連続して形成されている。
具体的に説明すると、板体載置部３５は、太陽電池配置部３１の棟側端部を表面側へ略垂直に折り曲げて立上り部３５ａを形成し、立上り部３５ａの上方端部を棟側に折り曲げて形成されている。そして、上面形成部３６は、板体載置部３５の棟側端部を表面側へ略垂直に折り曲げて立上り部３６ａを形成し、立上り部３６ａの上方を棟側に折り曲げて形成されている。すなわち、太陽電池配置部３１、板体載置部３５、上面形成部３６の上面は段差を介して連続した状態となっており、太陽電池配置部３１の上面、板体載置部３５の上面、上面形成部３６の上面の順に配された位置が高くなっている。
【００３６】
押さえ板１１は、図４で示されるように、正面視が略長方形状となる板体であり、その上面には複数の切り起こし部３９と、複数の取付用貫通孔４０とが形成されている。
【００３７】
切り起こし部３９は、桁行方向ｗ（幅方向）に間隔を空けて列状に配されるものであり、いずれも側面視略Ｌ字状で桁行方向ｗに沿って延びている。より具体的には、切り起こし部３９は、押さえ板１１の上面を表面側へ略垂直に折り曲げた立上り部３９ａと、立上り部３９ａの上端から軒側へ突出する長方形平板状の上板部３９ｂによって形成されている。すなわち、切り起こし部３９は、押さえ板１１から表面側へ突出する突起状の部分であり、上板部３９ｂの下面側に軒側が開放された空間を形成する鉤状の部分である。
【００３８】
取付用貫通孔４０は、押さえ板１１を表裏貫通する貫通孔であり、ビス等の締結要素を打ち込むための孔である。そして、この取付用貫通孔４０もまた、桁行方向ｗ（幅方向）に間隔を空けて列状に配されている。
なお、締結要素とは、ビス、木ネジ、釘等の上位概念であるものとする。
【００３９】
フロントカバー１２は、図５で示されるように、金属性の長尺材であり、断面形状略「コ」字状で延びている。より具体的には、フロントカバー１２は、下方に位置する略長方形平板状の係止片形成板部４３と、係止片形成板部４３の軒側端部から略垂直上方へ突出する立壁状の端面保護部４４と、端面保護部４４の上端から棟側へ突出する略長方形平板状の軒側固定部４５とが一体に形成されている。
【００４０】
発泡断熱材１３は、図２で示されるように、太陽電池モジュール１の強度や断熱性を確保するために土台板部１０の裏面に取り付けられる発泡樹脂製の部材である。この発泡断熱材１３は、土台板部１０の棟側の長辺に沿って桁方向に伸びる桁方向補強部１３ａと、桁方向補強部１３ａの長手方向の両端部分からそれぞれ軒方向に沿って延びる傾斜方向補強部１３ｂとを有する。
【００４１】
太陽電池パネル１５は、図２で示されるように、長方形の面状に形成されている。太陽電池パネル１５には、例えばガラス基板に導電膜や半導体膜を積層し、これに複数の溝
を設けて所定数の単体電池（太陽電池セル）を形成し、各太陽電池セルを電気的に直列接
続したものなどを採用することができる。
【００４２】
この太陽電池パネル１５には、図２で示されるように、裏面に端子ボックス４９が取り付けられ、端子ボックス４９からは、二本のケーブル（第一ケーブル５０及び第二ケーブル５１）が延設されている。この二本のケーブルは、いずれも、太陽電池パネル１５の正極に接続される被覆導線であるプラス側芯線と、太陽電池パネル１５の負極に接続される被覆導線であるマイナス側芯線からなる２本の被覆導線が束ねられた状態でチューブ内に挿通されて形成されている。そして、第二ケーブル５１の長さは、第一ケーブル５０の長さよりも長くなっている。また、この二本のケーブルのそれぞれの端部には、第一コネクタ５３及び第二コネクタ５４が設けられている。この第一コネクタ５３と第二コネクタ５４とは嵌合可能となっており、嵌合した状態では同極同士が電気的に接続された状態となっている。
【００４３】
雪止金具２０は、図６で示されるように、１枚の金属板を折り曲げ加工する等により形成されるものであり、平面視が略長方形平板状の支持板部５８と、支持板部５８の軒側端部から略垂直上方へと突出する雪止板部５９とを有し、これらが一体に連続している。
【００４４】
支持板部５８には、図６、図７で示されるように、複数の係合突起６１と、摺動溝６２とが設けられている。
【００４５】
係合突起６１は、支持板部５８の一部を切り起こして形成される略長方形平板状の部分であり、軒側上方へ突出している。すなわち、係合突起６１は、棟側端部側の部分で上側に折り曲げられた状態となっており、斜め上方へ延出している。このため、係合突起６１の下方には、軒側が開放された空間が形成されている。
【００４６】
また、本実施形態では、２つの係合突起６１が形成されており、これらが桁行方向ｗ（幅方向）に間隔を空けて配されている。より具体的には、この２つの係合突起６１は、支持板部５８の梁間方向（前後方向）の中心近傍に形成されるものであり、一方が桁行方向ｗ（幅方向）片側端部よりの位置に、他方が桁行方向ｗ（幅方向）の他方端部よりの位置にそれぞれ形成されている。
【００４７】
摺動溝６２は、梁間方向（前後方向）に沿って延びる第１溝部６４（ガイド部）と、この第１溝部６４の延び方向と交わる方向へ延びる第２溝部６５（移動阻止手段）とが一体に連続して形成される溝であり、平面視が略「Ｌ」字状となるように延びている。
この摺動溝６２は、支持板部５８の棟側端部近傍であって、桁行方向ｗ（幅方向）の中心からやや片側端部よりの位置に形成されている。そして、その軒側の一部が２つの係合突起６１の間に位置している。
【００４８】
第１溝部６４は、延び方向の一方端である軒側端部で第２溝部６５と連続しており、他方端である棟側端部では開口が丸みを帯びた形状となっている。すなわち、棟側端部における平面視した開口形状が、棟側に丸みを帯びて凸となっている。
この第１溝部６４は、桁行方向ｗ（幅方向）の中心からやや片側端部よりの部分に形成され、梁間方向に沿って延びる縦溝となっている。
【００４９】
第２溝部６５は、桁行方向ｗ（幅方向）に沿って延びており、桁行方向ｗ（幅方向）の中心からやや片側端部よりの部分で第１溝部６４と連続している。つまり、第２溝部６５は桁行方向ｗ（幅方向）の中心からやや片側端部よりの部分から、桁行方向ｗ（幅方向）の中心近傍まで延びる横溝となっている。
なお、桁行方向ｗ（幅方向）の中心近傍に位置する端部の平面視した開口形状は、桁行方向ｗ（幅方向）の他方端部側に丸みを帯びて凸となっている。
【００５０】
続いて、太陽電池モジュール１の組み立て構造について手順に沿って説明する。
なお、多くの場合、雪止金具２０を除いた部分の組み立ては工場で実施するものであり、雪止金具２０の太陽電池モジュール１への取り付けは太陽電池モジュール１の敷設現場で実施する。
【００５１】
図８で示されるように、土台板部１０の裏面に発泡断熱材１３を一体に取り付けた状態とする。また、土台板部１０のカバー取付部３０にフロントカバー１２の端面保護部４４を重ね合わせ、これらをビス等の締結要素を介して一体に取り付けた状態とする。
【００５２】
土台板部１０にフロントカバー１２が取り付けられると、土台板部１０の上面とフロントカバー１２の軒側固定部４５との間に隙間が形成された状態となる。また、土台板部１０の下面とフロントカバー１２の係止片形成板部４３との間にも隙間が形成された状態となる。
【００５３】
さらに、太陽電池パネル１５を土台板部１０へ載置した状態とする。
【００５４】
具体的には、まず、太陽電池パネル１５にスペーサ７０を取り付けた状態とする。このスペーサ７０は、太陽電池パネル１５の棟側の縁部分と、軒側の縁部分とにそれぞれ複数（本実施形態では３つ）取り付けられるものであり、いずれの部分においても桁行方向ｗで間隔を空けて列状に配された状態となっている。また、このスペーサ７０は、外形が断面略コ字状で延びる形状となっており、太陽電池パネル１５の縁部分を表裏方向で挟み込んで取り付ける構造となっている。
【００５５】
そして、土台板部１０の上面と軒側固定部４５との間に形成される隙間に、太陽電池パネル１５の軒側端部を挿通し、太陽電池パネル１５を土台板部１０の太陽電池配置部３１に載置する。ここで、太陽電池パネル１５の端子ボックス４９と、第一ケーブル５０及び第二ケーブル５１は、太陽電池配置部３１の開口３１ａを挿通し、土台板部１０の裏面側に配した状態とする。
【００５６】
そして、図９で示されるように、太陽電池パネル１５が太陽電池配置部３１に載置された状態で、押さえ板１１を板体載置部３５に載置し、ビス等の締結要素により土台板部１０に一体に取り付ける。さらにその状態において、押さえ板１１の上側に雪止金具２０を配し、雪止金具２０をビス等の締結要素により太陽電池モジュール１に一体に取り付ける。なお、このとき、雪止金具２０を取り付けるためのビス等の締結要素は、雪止金具２０、押さえ板１１、土台板部１０を貫通した状態で、屋根上（後述する横桟木８２）に固定される。
【００５７】
この雪止金具２０を取り付けるためのビス等の締結要素は、雪止金具２０の摺動溝６２に挿通するものとする。また、この締結要素の軸径と摺動溝６２の溝幅とは略同一となっている。このことにより、雪止金具２０は押さえ板１１の上方に移動可能な状態で取り付けられる。詳細には、締結要素の軸部が摺動溝６２のうち第１溝部６４（図６参照）の内側に位置する状態では、雪止金具２０は梁間方向ｌ（前後方向）に沿って移動可能となっており、締結要素の軸部が摺動溝６２のうち第２溝部６５（図６参照）の内側に位置する状態では、雪止金具２０は桁行方向ｗ（幅方向であって左右方向）に沿って移動可能となっている。
すなわち、雪止金具２０を取り付けるめのビス等の締結要素を摺動溝６２に挿通した状態とすることで、雪止金具２０が水平方向にスライド移動可能となっている。そして、雪止金具２０を移動させると、雪止金具２０が固定された締結要素に対して相対的に移動し、結果、雪止金具２０が摺動溝６２の形状に沿う方向へとスライド移動する状態となっている。
【００５８】
このように雪止金具２０が取り付けられることにより、図１で示されるように、太陽電池モジュール１が組み立てられる。
【００５９】
なお、この状態では、押さえ板１１の軒側端部が太陽電池パネル１５の表面の一部を覆い、太陽電池パネル１５の表面に上方から押圧力を作用させた状態となる。すなわち、押さえ板１１は、太陽電池パネル１５の棟側端部近傍を押さえつけた状態となる。
また、押さえ板１１の上面と上面形成部３６の上面とは、略同一の平面を形成した状態となる。
【００６０】
またさらに、図１で示されるように、雪止金具２０の桁行方向の長さＬ１は、太陽電池モジュール１の桁行方向の長さＬ２の５パーセント程度の長さとなっている。別言すると、本実施形態では、１つの太陽電池モジュール１に対して２つの雪止金具２０が取り付けられており、２つの雪止金具２０の桁行方向の長さの合計（Ｌ１＋Ｌ１）は、太陽電池モジュール１の桁行方向の長さ（Ｌ２）の１割程度となっている。
【００６１】
次に、本実施形態の太陽電池モジュール１を建屋の上面に敷設するための敷設方法について説明する。
【００６２】
まず、太陽電池モジュール１の取り付けに先立って、屋根上に基礎屋根構造を構築する工程を実施する。
具体的には、太陽電池モジュール１を敷設する場合、まず敷設対象である建物の上面に軒先水切りや所定のルーフィング材が取り付けられ、作業の進行に必要な線や形、寸法を建物の上面に表示する墨出しが行われる。そして、図１０で示されるように、縦桟木８０が所定の間隔で取り付けられ、広小舞８１や横桟木８２が取り付けられる。なお、横桟木８２は、所定の登り間隔で取り付けられる。また、敷設される太陽電池モジュール１の吹き上がりを防止する吹上防止金具８３が所定位置に取り付けられる。
【００６３】
続いて、太陽電池モジュール１を、軒先側から順次棟側に向けて取り付けていく。より具体的には、複数の太陽電池モジュール１の短辺同士を隣り合わせて列状のモジュール段を形成し、ビス等の締結部材を介して各太陽電池モジュール１を建物の上面に固定する。本実施形態では、建物の上面の軒先に沿って１段目のモジュール段が形成された後、棟側に向けて複数段のモジュール段が順次形成されていく。
さらに、隣接する太陽電池モジュール１のうち、一方側の太陽電池モジュール１の第一ケーブル５０と、他方の太陽電池モジュール１の第二ケーブル５１とを接続し、これらを電気的に接続していく。このことにより、各太陽電池モジュール１が並列に接続された状態となる。また、いくつかの所定の太陽電池モジュール１から延びるケーブル（第一ケーブル５０又は第二ケーブル５１）は、引き込みケーブル等に接続され、建屋内へと引き込まれる。そして、屋内でパワーコンディショナー等の機器に接続され、太陽電池モジュール１が発電した電気を建屋内に供給可能な構造となっている。
【００６４】
具体的に説明すると、基礎屋根構造を構築する工程に続いて、最も軒側に位置するモジュール段を形成する太陽電池モジュール１を屋根上に取り付ける工程を実施する。
このとき、図１０、図１１で示されるように、フロントカバー１２の下方に位置する係止片形成板部４３を吹上防止金具８３の軒側端部に引っ掛けた状態とする。そして、太陽電池モジュール１を棟側へと引き上げた状態とし、図１１、図１２で示されるように、太陽電池モジュール１の棟側端部をビス等の締結部材によって屋根（横桟木８２）に固定する。
このとき、太陽電池モジュール１の雪止金具２０が取り付けられている部分では、図１２で示されるように、ビス等の締結部材が雪止金具２０の摺動溝６２、押さえ板１１、土台板部１０を貫通し、屋根上の横桟木８２に打ち込まれて固定される。すなわち、雪止金具２０の太陽電池モジュール１への取り付けと、太陽電池モジュール１の屋根上への固定とを一度に実施する構造となっている。
このとき、ビス等の締結部材の軸部分１００は、摺動溝６２の第１溝部６４（図６参照）の棟側端部に挿通した状態とする。
【００６５】
そして、最も軒側に位置するモジュール段を形成する太陽電池モジュール１を屋根上に取り付ける工程に続いて、最も軒側に位置するモジュール段を形成する太陽電池モジュール１のケーブル（第一ケーブル５０又は第二ケーブル５１）を接続していく工程を実施する。
すなわち、最も軒側に位置するモジュール段を形成する太陽電池モジュール１を全て屋根上に取り付けた状態で、ケーブル（第一ケーブル５０又は第二ケーブル５１）の接続作業を実施する。すなわち、最も軒側に位置するモジュール段を形成する太陽電池モジュール１のうち、隣接する２つの太陽電池モジュール１を電気的に接続していく。
【００６６】
続いて、図１３で示されるように、２段目に位置するモジュール段を形成する太陽電池モジュール１を屋根上に取り付ける工程を実施する。この工程では、太陽電池モジュール１の軒側部分の位置決めを実施する工程を行った後、太陽電池モジュール１の棟側部分を固定する工程を行う。
詳説すると、２段目に位置するモジュール段を形成する太陽電池モジュール１ｂを屋根上に取り付ける際、図１４（ａ）で示されるように、２段目に位置する太陽電池モジュール１ｂのフロントカバー１２の下方に位置する係止片形成板部４３を、１段目に位置する太陽電池モジュール１に取り付けた雪止金具２０の係合突起６１に引っ掛けた状態とする。そして、その状態で、２段目に位置する太陽電池モジュール１ｂを棟側へと引き上げる。すると、２段目に位置する太陽電池モジュール１ｂの棟側への移動に伴って雪止金具２０が棟側へと移動する。そして、雪止金具２０が所定の位置まで移動すると、太陽電池モジュール１ｂと雪止金具２０の軒側への移動が完了する。このとき、図１４（ｂ）で示されるように、雪止金具２０の軒側端部の位置が、押さえ板１１の軒側端部の位置と梁間方向ｌ（前後方向）の位置が略同一となる。すなわち、雪止金具２０の軒側部分と押さえ板１１とが上下方向で重なった状態となる。
【００６７】
また、太陽電池モジュール１ｂ及び雪止金具２０の棟側への移動が完了した状態では、太陽電池モジュール１ｂの係止片形成板部４３が雪止金具２０の係合突起６１だけでなく、押さえ板１１の切り起こし部３９（図１３等参照）とも係合した状態となる。すなわち、太陽電池モジュール１ｂが棟側へと移動することにより、太陽電池モジュール１ｂの係止片形成板部４３もまた棟側へと移動し、係止片形成板部４３と切り起こし部３９（図１３等参照）とが係合した状態となる。このことにより、太陽電池モジュール１ｂの軒側部分の位置決めが完了する。
【００６８】
つまり、本実施形態では、棟側の太陽電池モジュール１ｂ（２段目に位置するモジュール段を形成する太陽電池モジュール１）の軒側部分の位置決めを実施する工程を行うだけで、軒側に隣接する太陽電池モジュール１ａ（１段目に位置するモジュール段を形成する太陽電池モジュール１）に取り付けた雪止金具２０の梁間方向における位置決めが実施される構造となっている。このことにより、雪止金具２０の支持板部５８を軒側の太陽電池モジュール１ａと棟側の太陽電池モジュール１ｂの重なった部分の間に配し、雪止金具２０の支持板部５８の大部分が外部に露出されない状態であっても、雪止金具２０の梁間方向における位置合わせを簡単に実施することができる。
【００６９】
そして、図１５、図１６で示されるように、２段目に位置するモジュール段を形成する
太陽電池モジュール１の棟側端部をビス等の締結部材によって屋根（横桟木８２）に固定する。２段目に位置するモジュール段を形成する太陽電池モジュール１を取り付ける場合もまた、図１６で示されるように、太陽電池モジュール１の雪止金具２０が取り付けられている部分では、ビス等の締結部材が雪止金具２０の摺動溝６２、押さえ板１１、土台板部１０を貫通し、屋根上の横桟木８２に打ち込まれて固定される。すなわち、雪止金具２０の太陽電池モジュール１への取り付けと、太陽電池モジュール１の屋根上への固定とを一度に実施する構造となっている。
このとき、ビス等の締結部材の軸部分１００は、摺動溝６２の第１溝部６４（図６参照）の棟側端部に挿通した状態とする。
【００７０】
２段目に位置するモジュール段を形成する太陽電池モジュール１ｂを屋根上に取り付ける工程が完了すると、この太陽電池モジュール１ｂの軒側に隣接する太陽電池モジュール１ａ（１段目に位置するモジュール段を形成する太陽電池モジュール１）に取り付けた雪止金具２０ａの桁行方向ｗの位置合わせを実施する工程を行う（図１５参照）。
【００７１】
より具体的には、図１７の左図で示されるように、雪止金具２０ａを桁行方向ｗに沿ってスライド移動させる。すると、図１７の右図で示されるように、締結要素の軸部分１００が第２溝部６５に対して相対的に移動する。すなわち、第２溝部６５の桁行方向ｗ（長手方向）の端部のうち、第１溝部６４と隣接する端部に締結要素の軸部分１００が位置している状態（図１７（ａ）右図参照）から、他方側の端部に締結要素の軸部分１００が位置している状態（図１７（ｂ）右図参照）へ移行する。すなわち、第２溝部６５の延び方向の端部のうちで第１溝部６４と離間した位置にある端部に、締結要素の軸部分１００が位置している状態となる。そして、締結要素の軸部分１００が第２溝部６５うち、第１溝部６４との境界部分から離れた位置に配されると、雪止金具２０ａは梁間方向ｌへの移動ができない状態となる。
【００７２】
このように、第２溝部６５のうちで第１溝部６４と離れた位置に締結要素の軸部分１００を嵌め込んだ状態とし、雪止金具２０ａを梁間方向ｌへの移動ができない状態とすると、雪止金具２０ａの意図しない位置ずれを防止することができる。
具体的に説明すると、屋根上への積雪量が多く、雪止金具２０に対して雪から荷重がかかると、雪止金具２０ａには軒側へ向かう方向へ力が加わることとなる。このとき、雪止金具２０ａが梁間方向ｌへ移動できない状態で取り付けられていると、雪止金具２０ａが雪からの荷重で梁間方向ｌへ位置ずれしてしまうことがなく、所定の位置での雪止めが可能となる。
【００７３】
そして、２段目に位置するモジュール段を形成する太陽電池モジュール１のケーブル（第一ケーブル５０又は第二ケーブル５１）を接続していく工程を実施する。すなわち、２段目に位置するモジュール段を形成する太陽電池モジュール１を全て屋根上に取り付けた状態で、ケーブル（第一ケーブル５０又は第二ケーブル５１）の接続作業を実施し、隣接する２つの太陽電池モジュール１を電気的に接続した状態とする。
【００７４】
以下同様に、３段目以降のモジュール段を形成する太陽電池モジュール１を必要に応じて屋根上に取り付けていく。
そして、所定の段数だけモジュール段が形成されると、最も上段部の太陽電池モジュール１の棟側端部に雨仕舞い板（図示せず）等の所定の部材を必要に応じて設置する。さらに、上記したようにケーブルの建屋内への引き込み作業等を実施し、太陽電池モジュール１の敷設作業が完了する。
【００７５】
このように、太陽電池モジュール１を敷設すると、図１７で示されるように、雪止金具２０の支持板部５８の大部分が、軒側の太陽電池モジュール１ａと棟側の太陽電池モジュール１ｂとの間に挟まれた状態となる。より具体的には、支持板部５８の棟側部分５８ｂが、２つの太陽電池モジュール１に挟まれた状態となる。このようにすることで、雪止金具２０を必要以上に外部に露出しない状態で取り付けることができるので、太陽電池モジュール１を敷設した屋根の外観をよくすることができる。さらにまた、雪止金具２０が必要以上に露出しない構造によると、不用に露出した部分が太陽電池モジュール１の表面（受光面）に影を形成してしまうことがなく、好ましい。
【００７６】
上記した実施形態では、棟側の太陽電池モジュール１ｂと軒側の太陽電池モジュール１ａの間、すなわち、２段目に位置するモジュール段を形成する太陽電池モジュール１と１段目に位置するモジュール段を形成する太陽電池モジュール１の間に雪止金具２０を配置する例について詳細に説明した。すなわち、２つの太陽電池モジュール１の間に雪止金具２０を配置する例について詳細に説明したが、本発明の雪止金具２０の配置位置はこれに限るものでない。
【００７７】
例えば、太陽電池モジュールと、この太陽電池モジュールの棟側に配される所定部材（例えば雨仕舞板等）との間に雪止金具２０が配されてもよい。すなわち、所定部材の軒側端部を雪止金具２０の係合突起６１に係合させた状態で、所定部材を棟側へと引き上げ、所定部材と雪止金具２０の梁間方向の位置合わせを同時に実施してもよい。
【００７８】
また、雪止金具２０は太陽電池モジュールに限らず、瓦等の屋根部材に直接又は間接的に取り付けてもよい。すなわち、屋根部材と、この屋根部材の棟側に配される太陽電池モジュールとの間に雪止金具２０が配されてもよい。すなわち、屋根部材に取り付けられた雪止金具２０の係合突起６１に太陽電池モジュールの軒側端部（係止片形成板部４３）を係合させた状態で、太陽電池モジュールを棟側へと引き上げ、太陽電池モジュールと雪止金具２０の梁間方向の位置合わせを同時に実施してもよい。
【００７９】
つまり、雪止金具２０の係合突起６１は軒側で隣接する他部材の一部と係合できればよく、この他部材の位置合わせと雪止金具２０の位置合わせとが同時に実施できればよい。また、雪止金具２０は屋根上の適宜の場所に取り付けてもよく、必ずしも太陽電池モジュール１と一体に取り付けなくてもよい。
【００８０】
上記した実施形態では、屋根上面の軒先端部に吹上防止金具８３を取り付け、軒先端部から太陽電池モジュール１を取り付けたが、太陽電池モジュール１の敷設方法はこれに限るものではない。例えば、屋根上面の軒先端部に金具付きの瓦（屋根部材）を設置し、設置した瓦より棟側の部分に太陽電池モジュール１を敷設してもよい。すなわち、最も軒側に位置する太陽電池モジュール１を瓦の上部側に取り付ける敷設方法であってもよい。
【００８１】
上記した実施形態では、１つの太陽電池モジュール１に２つの雪止金具２０を取り付ける例を示したが、雪止金具２０の太陽電池モジュール１への取り付けはこれに限るものではない。１つの太陽電池モジュール１には、雪止金具２０を１つだけ取り付けてもよく、雪止金具２０を３つ以上（複数）取り付けてもよい。
【００８２】
また、屋根上に複数の太陽電池モジュール１を敷設していくとき、必ずしもすべての太陽電池モジュール１に雪止金具２０を取り付ける必要はなく、雪止金具２０を一体に取り付ける太陽電池モジュール１と、雪止金具２０を取り付けない太陽電池モジュールとが混在してもよい。なお、この場合、雪止金具２０を取り付ける太陽電池モジュール１が配される位置と、雪止金具２０を取り付けない太陽電池モジュールが配される位置とは適宜変更してよい。
【００８３】
上記した実施形態では、モジュール段を複数段形成した例を示したがモジュール段の段数はこれに限るものではなく、適宜変更してよい。すなわち、モジュール段は１段だけ形成してもよく、上記したように２段以上（複数段）形成してもよい。
【符号の説明】
【００８４】
１  太陽電池モジュール
２０  雪止金具
５８  支持板部
５９  雪止板部
６１  係合突起（係合突起部）
６４  第１溝部（ガイド部）
６５  第２溝部（移動阻止手段）
【図１】
2014003074.tif 000003
【図２】
2014003074.tif 000004
【図３】
2014003074.tif 000005
【図４】
2014003074.tif 000006
【図５】
2014003074.tif 000007
【図６】
2014003074.tif 000008
【図７】
2014003074.tif 000009
【図８】
2014003074.tif 000010
【図９】
2014003074.tif 000011
【図１０】
2014003074.tif 000012
【図１１】
2014003074.tif 000013
【図１２】
2014003074.tif 000014
【図１３】
2014003074.tif 000015
【図１４】
2014003074.tif 000016
【図１５】
2014003074.tif 000017
【図１６】
2014003074.tif 000018
【図１７】
2014003074.tif 000019